(57)【要約】      （修正有）【課題】肩掛けベルトの滑り止め機能に優れ、使用感も良好であり、外観体裁にも配慮したバッグ類肩掛けベルト用滑り止め具を提供する。【解決手段】バッグ類肩掛けベルト用滑り止め具１は、平面略矩形状で、使用者の首側に位置させる一方の辺部中央に弧状凹部１２を形成した皮革材等からなる肩掛けベルト３の寸法に対応させた滑り止め具本体１１と、その下面側に配置され、使用者の肩上に当接させるゴム材からなる滑り止めパッド部と、滑り止めパッド部と滑り止め具本体１１とに亘って設けたこれら両者間の位置ずれを防止する突片及び受穴の組み合わせからなる位置合わせ機構部と、滑り止め具本体１１の上面側に設けた肩掛けベルト３の寸法に対応させた一対の肩掛けベルト挿通領域１８、１９を形成する皮革材等からなり、滑り止め具本体１１の幅方向に開閉可能な肩掛けベルト挿通部２０、２１と、を有する構成としたものである。【選択図】図２
0003139961.tif 000002
【実用新案登録請求の範囲】
【請求項１】
バッグ類に取り付けられた肩掛けベルトを挿通した状態で使用者の肩上に配置するバッグ類肩掛けベルト用滑り止め具であって、
平面略矩形状で、使用者の首側に位置させる一方の辺部中央に弧状凹部を形成した滑り止め具本体と、
この滑り止め具本体における下面側に配置され、使用者の肩上に当接させる滑り止めパッド部と、
前記滑り止めパッド部と滑り止め具本体とに亘って設けたこれら両者間の位置ずれを防止する突片及び受穴の組み合わせからなる位置合わせ機構部と、
前記滑り止め具本体の上面側に設けた肩掛けベルト挿通領域を形成する肩掛けベルト挿通部と、
を一体化してなることを特徴とするバッグ類肩掛けベルト用滑り止め具。
【請求項２】
バッグ類に取り付けられた肩掛けベルトを挿通した状態で使用者の肩上に配置するバッグ類肩掛けベルト用滑り止め具であって、
平面略矩形状で、使用者の首側に位置させる一方の辺部中央に弧状凹部を形成した皮革材、合成皮革材、布材の内のいずれかの材質からなる肩掛けベルトの寸法に対応させた滑り止め具本体と、
この滑り止め具本体における下面側に配置され、使用者の肩上に当接させるゴム材からなる滑り止めパッド部と、
前記滑り止めパッド部と滑り止め具本体とに亘って設けたこれら両者間の位置ずれを防止する突片及び受穴の組み合わせからなる位置合わせ機構部と、
前記滑り止め具本体の上面側に設けた肩掛けベルトの寸法に対応させた一対の肩掛けベルト挿通領域を形成する皮革材、合成皮革材、布材の内のいずれかの材質からなり、滑り止め具本体の幅方向に開閉可能な肩掛けベルト挿通部と、
を有し、
前記位置合わせ機構部により前記滑り止めパッド部と滑り止め具本体と位置合わせした状態で前記滑り止めパッド部を滑り止め具本体における下面に接合固着するとともに、前記滑り止め具本体と肩掛けベルト挿通部とを縫製加工により一体化してなることを特徴とするバッグ類肩掛けベルト用滑り止め具。
【請求項３】
バッグ類に取り付けられた肩掛けベルトを挿通した状態で使用者の肩上に配置するバッグ類肩掛けベルト用滑り止め具であって、
平面略矩形状で、使用者の首側に位置させる一方の辺部中央に弧状凹部を形成し、かつ、首側から肩側に向かって幅方向に湾曲させた皮革材、合成皮革材、布材の内のいずれかの材質からなる肩掛けベルトの寸法に対応させた滑り止め具本体と、
この滑り止め具本体における下面側に配置されるとともに、首側が大きく、肩側小さい突起部を多数突設した使用者の肩上に当接させるゴム材からなる滑り止めパッド部と、
前記滑り止めパッド部の滑り止め具本体との接合面に設けた突起と、滑り止め具本体に設けた前記突起が嵌着される受穴の組み合わせからなる位置合わせ機構部と、
前記滑り止め具本体の上面側に設けた肩掛けベルトの寸法に対応させた一対の肩掛けベルト挿通領域を形成する皮革材、合成皮革材、布材の内のいずれかの材質からなり、滑り止め具本体の幅方向に開閉可能な肩掛けベルト挿通部と、
を有し、
前記位置合わせ機構部により前記滑り止めパッド部と滑り止め具本体と位置合わせした状態で前記滑り止めパッド部を滑り止め具本体における下面に接合固着するとともに、前記滑り止め具本体と肩掛けベルト挿通部とを縫製加工により一体化してなることを特徴とするバッグ類肩掛けベルト用滑り止め具。
【請求項４】
バッグ類に取り付けられた肩掛けベルトを挿通した状態で使用者の肩上に配置するバッグ類肩掛けベルト用滑り止め具であって、
平面略矩形状で、使用者の首側に位置させる一方の辺部中央に弧状凹部を形成し、かつ、首側から肩側に向かって幅方向に湾曲させた外面を色彩、模様等により装飾した皮革材、合成皮革材、布材の内のいずれかの材質からなる肩掛けベルトの寸法に対応させた滑り止め具本体と、
この滑り止め具本体における下面側に配置されるとともに、首側が大きく、肩側小さい突起部を多数突設した使用者の肩上に当接させるゴム材からなる滑り止めパッド部と、
前記滑り止めパッド部の滑り止め具本体との接合面に設けた突起と、滑り止め具本体に設けた前記突起が嵌着される受穴の組み合わせからなる位置合わせ機構部と、
前記滑り止め具本体の上面側に設けた肩掛けベルトの寸法に対応させた一対の肩掛けベルト挿通領域を形成する外面を色彩、模様等により装飾した皮革材、合成皮革材、布材の内のいずれかの材質からなり、滑り止め具本体の幅方向に開閉可能な肩掛けベルト挿通部と、
を有し、
前記位置合わせ機構部により前記滑り止めパッド部と滑り止め具本体と位置合わせした状態で前記滑り止めパッド部を滑り止め具本体における下面に接合固着するとともに、前記滑り止め具本体と肩掛けベルト挿通部とを縫製加工により一体化してなることを特徴とするバッグ類肩掛けベルト用滑り止め具。
【請求項５】
前記突起は、使用者の肩側に位置する辺に沿っては小さい寸法の前記突起を形成し、かつ、当該突起の内、使用に際して使用者の胸、背中にあたる部分の突起を他の突起よりも細めで、長く形成したとともに、
前記突起は、使用者の肩の外方側に位置する部分の突起を垂直状に形成し、かつ、使用者の肩の内方側に位置する部分の突起を内方側に傾斜させて形成してなるものであることを特徴とする請求項３又は４記載のバッグ類肩掛けベルト用滑り止め具。
【請求項６】
前記滑り止め具本体の形状を、使用者の肩の外方側に位置する辺の寸法よりも、使用者の肩の内方側に位置する辺の寸法を長く形成してなるものであることを特徴とする請求項１乃至５のいずれかに記載のバッグ類肩掛けベルト用滑り止め具。
【考案の詳細な説明】
【技術分野】
【０００１】
本考案は、バッグ類肩掛けベルト用滑り止め具に関し、詳しくはショルダーバッグ、ハンドバッグ等のようなバッグ類の肩掛けベルトが使用中に肩から滑り落ちることを確実に防止するバッグ類肩掛けベルト用滑り止め具に関する。
【背景技術】
【０００２】
例えば、通勤通学、外出、買い物、旅行等の用途に使用されるショルダーバッグ、ハンドバッグ等のようなバッグ類においては、その持ち運びの便宜上から肩掛けベルトを付加して使用されることが多い。
【０００３】
この場合に、肩掛けベルトをそのまま肩部に掛ける使用態様の場合には、歩行する際に肩掛けベルトの位置ずれ、滑り落ちが多発し、このため使用者は肩掛けベルトをできるだけ首の付け根側に掛け直す必要に迫られるという煩雑さが生じていた。この点は、ショルダーバッグを多く使用する男性、肩掛け式ハンドバッグを多く使用する女性共通の問題である。
【０００４】
上述した使用態様の他に、衣服の肩部の損傷防止や滑り止め等の観点から、肩掛けベルトの略中央位置に更にフェルト、スエード、ゴム等を用いたパッドを含む滑り止め具を付加した使用態様もよく見かけるところである。
【０００５】
ところが、従来においては、上述したような滑り止め具に関しては、肩掛けベルトの幅、使用状況等に配慮した製品は殆ど見当たらず、肩掛けベルトの幅に比較し幅が広すぎるもの、肩に掛けた状態でのバッグ類による重量負荷との関係で首側に食い込み、肩側（外側）が浮き上がった状態のもの等、外観体裁の良好でないものが多いのが実情である。
【０００６】
また、肩掛けベルトやパッド具の使用頻度が多くなってくるとフェルト、スエード、ゴム等の滑り止め機能が低下し、肩掛けベルトの位置ずれ、滑り落ちが多発するという問題も包含している。
【０００７】
滑り止め具としては、ゴム製のものも使用されているが、単に滑り止め機能のみを追及したデザインのものが多く外観体裁の点で満足し得るものではない。なお、上述した肩掛け式ハンドバッグに関しては、肩掛けベルトが通常細幅であることから滑り止め具まで備えたものは殆ど存在しない。
【０００８】
特許文献１には、添片の片面にシリコンからなる滑り止め用の複数の突起を設け、この添片をバッグ等に取り付ける肩掛け用の帯に添設した構成からなる滑り止め付帯が提案されている。この特許文献１の場合も単に滑り止め機能のみを追及したものであり、デザイン性を考慮したようなものではない。
【特許文献１】登録実用新案第３０２９８６３号公報
【考案の開示】
【考案が解決しようとする課題】
【０００９】
本考案が解決しようとする問題点は、肩掛けベルトの滑り止め機能に優れ、使用感も良好であり、外観体裁、ファッション性の点をも配慮したようなバッグ類肩掛けベルト用滑り止め具が存在しない点である。
【課題を解決するための手段】
【００１０】
本考案は、バッグ類に取り付けられた肩掛けベルトを挿通した状態で使用者の肩上に配置するバッグ類肩掛けベルト用滑り止め具であって、平面略矩形状で、使用者の首側に位置させる一方の辺部中央に弧状凹部を形成した滑り止め具本体と、この滑り止め具本体における下面側に配置され、使用者の肩上に当接させる滑り止めパッド部と、前記滑り止めパッド部と滑り止め具本体とに亘って設けたこれら両者間の位置ずれを防止する突片及び受穴の組み合わせからなる位置合わせ機構部と、前記滑り止め具本体の上面側に設けた肩掛けベルト挿通領域を形成する肩掛けベルト挿通部と、を一体化してなることを最も主要な特徴とする。
【考案の効果】
【００１１】
請求項１記載の考案によれば、肩掛けベルトの滑り止め機能に優れ、首の周りや肩等における使用感も良好であり、更に、作成時の無駄を排し省資源化にも貢献し得るバッグ類肩掛けベルト用滑り止め具を提供することができる。
【００１２】
請求項２記載の考案によれば、請求項１記載の考案と同様な効果を奏するとともに、肩掛けベルトの寸法に対応させた外観体裁の良好なバッグ類肩掛けベルト用滑り止め具を提供することができる。
【００１３】
請求項３記載の考案によれば、請求項２記載の考案と同様な効果を奏するとともに、肩掛けベルト挿通部を滑り止め具本体の幅方向に開閉可能としているので、肩掛けベルトの挿通、離脱も容易なバッグ類肩掛けベルト用滑り止め具を提供することができる。
【００１４】
請求項４記載の考案によれば、請求項３記載の考案と同様な効果を奏するとともに、滑り止め具本体及び肩掛けベルト挿通部の外面を色彩、模様等により装飾した構成としているので、ファション性に富む斬新なバッグ類肩掛けベルト用滑り止め具を提供することができる。
請求項５記載の考案によれば、請求項３、４記載の各考案と同様な効果を奏するとともに、前記細めで、多少長く形成した突起が、使用者の胸、背中にあたる部分の衣類に食い込み易く、更に、前記垂直状と傾斜状との各突起が、使用に際して衣類に垂直状、傾斜状に食い込むことになり、この滑り止め具に対して滑り止め作用を一層発揮できるバッグ類肩掛けベルト用滑り止め具を提供することができる。
請求項６記載の考案によれば、前記請求項１乃至５に記載の各考案と同様な効果を奏するとともに、前記請求項１乃至５に記載の滑り止め具本体の形状を、使用者の肩の外方側に位置する辺の寸法よりも、使用者の肩の内方側に位置する辺の寸法を長く形成することにより、この滑り止め具に対して滑り止め作用を一層発揮できるバッグ類肩掛けベルト用滑り止め具を提供することができる。
【考案を実施するための最良の形態】
【００１５】
本考案は、肩掛けベルトの滑り止め機能に優れ、使用感も良好であり、外観体裁にも配慮したバッグ類肩掛けベルト用滑り止め具を提供するという目的を有するものである。
【００１６】
本考案は、バッグ類に取り付けられた肩掛けベルトを挿通した状態で使用者の肩上に配置するバッグ類肩掛けベルト用滑り止め具であって、平面略矩形状で、使用者の首側に位置させる一方の辺部中央に弧状凹部を形成した皮革材、合成皮革材、布材の内のいずれかの材質からなる肩掛けベルトの寸法に対応させた滑り止め具本体と、この滑り止め具本体における下面側に配置され、使用者の肩上に当接させるゴム材からなる滑り止めパッド部と、前記滑り止めパッド部と滑り止め具本体とに亘って設けたこれら両者間の位置ずれを防止する突片及び受穴の組み合わせからなる位置合わせ機構部と、前記滑り止め具本体の上面側に設けた肩掛けベルトの寸法に対応させた一対の肩掛けベルト挿通領域を形成する皮革材、合成皮革材、布材の内のいずれかの材質からなり、滑り止め具本体の幅方向に開閉可能な肩掛けベルト挿通部と、を有し、前記位置合わせ機構部により前記滑り止めパッド部と滑り止め具本体と位置合わせした状態で前記滑り止めパッド部を滑り止め具本体における下面に接合固着するとともに、前記滑り止め具本体と肩掛けベルト挿通部とを縫製加工により一体化した構成により上記目的を実現した。
【実施例】
【００１７】
以下に、本考案の実施例に係るバッグ類肩掛けベルト用滑り止め具について図面を参照して詳細に説明する。
【００１８】
本実施例に係るバッグ類肩掛けベルト用滑り止め具（以下「滑り止め具」ともいう）１は、図１に示すように、例えばハンドバッグのようなバッグ類２に取り付けられた肩掛けベルト３を挿通した状態で前記肩掛けベルト３とともに使用者の肩上に配置し、肩掛けベルト３が使用者の肩から滑り落ちたりずれたりすることを防止するものである。
【００１９】
本実施例に係る滑り止め具１は、図２に示すように、平面略矩形状で、使用者の首側に位置させる一方の辺部中央に弧状凹部１２を形成し、かつ、首側から肩側に向かって図６に示すように幅方向に湾曲させた皮革材、合成皮革材、布材の内のいずれかの材質からなる前記肩掛けベルト３の寸法に対応させた上下２枚構造の滑り止め具本体１１と、図５、図６に示すように、前記滑り止め具本体１１における下面側に配置されるとともに、首側が大きく、肩側小さい突起部１４を列設状態で多数設け、これらを使用者の肩上に当接させるゴム材からなる平面略矩形状で、かつ、前記弧状凹部１２に対応する形状の弧状凹部１６を形成した滑り止め具本体１１より一回り小寸法の滑り止めパッド部１３と、図７に示すように前記滑り止めパッド部１３の滑り止め具本体１１との接合面に上方に突出する状態に設けた例えば菱形形状の突起１５と、滑り止め具本体１１に設けた前記突起１５が嵌着される例えば菱形形状の受穴１１ｃとの組み合わせからなる位置合わせ機構部１７と、前記滑り止め具本体１１の上面側に設けた肩掛けベルト３の寸法に対応させた一対の肩掛けベルト挿通領域１８、１９を形成する皮革材、合成皮革材、布材の内のいずれかの材質からなり、滑り止め具本体１１の幅方向に開閉可能な一対の肩掛けベルト挿通部２０、２１と、を有している。
なお、前記滑り止め具本体１１の形状は、使用者の内方側（すなわち首側）に位置する辺の寸法を、使用者の肩の外方側（すなわち腕側）に位置する辺の寸法よりも長く形成（図示せず）して実施しても良い。使用者の肩の外方側（すなわち腕側）に位置する辺の部分よりも、肩の内方側（すなわち首側）に位置する辺の部分を長く形成することで、当該部分の肩への密着度合いを多くすることにより、この滑り止め具に対して滑り止め作用を一層発揮できる。
【００２０】
そして、この滑り止め具１を作成する際、前記位置合わせ機構部１７により前記滑り止めパッド部１３と滑り止め具本体１１と位置合わせした状態で前記滑り止めパッド部１３を滑り止め具本体１１における下面に例えば接着により接合固着するようにしている。また、前記滑り止め具本体１１と一対の肩掛けベルト挿通部２０、２１とを縫製加工により各々一体化している。なお、図１において、点々で示す４は縫製縫い目である。
【００２１】
前記滑り止めパッド部１３の突起部１４は、図５に示すように、前記弧状凹部１６側の辺に沿って大きい寸法の突起１４ａを、使用者の肩側に位置する辺に沿って小さい寸法の突起１４ｃを、突起部１４と突起１４ｃとの間の位置に中間寸法の突起部１４ｂを各々この滑り止めパッド部１３の長さ方向に沿って列設している。
なお、前記使用者の肩側に位置する辺に沿って形成される小さい寸法の前記突起１４ｃの内、使用に際して使用者の胸、背中にあたる部分の突起１４ｃ（図５中の左右に位置する範囲の部分）は、これを他の突起１４１ａ、１４ｂ、１４ｃよりも、細めで、多少長く形成して実施しても良い。この場合、当該細めで、多少長く形成した突起が、使用者の胸、背中にあたる部分の衣類に食い込み易く、この滑り止め具１に対して滑り止め作用を一層発揮することができる。以上の点は、他の変形実施例においても、同様に言えることである。
更に、図５に示す各突起の内、前記突起１４ｃ側に位置する部分における突起を垂直状に形成し、前記突起１４ａ側に位置する部分における突起を図中において多少上方に傾斜させて形成して実施しても良い。この場合、当該垂直状と傾斜状との各突起が、使用に際して衣類に垂直状、傾斜状に食い込むことになり、この滑り止め具１に対して滑り止め作用を一層発揮することができる。以上の点は、他の変形実施例においても、同様に言えることである。
【００２２】
次に、前記一対の肩掛けベルト挿通部２０、２１のうちの一方の肩掛けベルト挿通部２０と、滑り止め具本体１１との配置関係について、図２、図３、図４及び図６、図７を参照して説明する。
【００２３】
前記滑り止め具本体１１は、前記弧状凹部１２を各々有し同一形状で重合配置される上片１１ａ、下片１１ｂから構成している。
【００２４】
前記肩掛けベルト挿通部２０は、前記滑り止め具本体１１に対して図２において手前側の位置でこの滑り止め具本体１１に縫製により一体化されるものである。
【００２５】
すなわち、前記肩掛けベルト挿通部２０は、平坦で略矩形状に形成した重合下片２２ａと、この重合下片２２ａの図２において手前側の辺に沿って略９０度折り曲げた垂直片２３ａと、垂直片２３ａの下辺から前記上片１１ａに沿うように略９０度折り曲げた添設片２４ａと、この添設片２４ａの端辺と一体にかつ折り返し形状に設けられ、前記上片１１ａ、下片１１ｂの間に嵌め込まれる嵌め込み片２５ａとを具備している。
【００２６】
また、前記肩掛けベルト挿通部２０は、平坦で略矩形状に形成され、前記重合下片２２ａ上に重合される重合上片２２ｂと、この重合上片２２ｂの図２において奥側の辺に沿って略９０度折り曲げた垂直片２３ｂと、垂直片２３ｂの下辺から前記上片１１ａに沿うように略９０度折り曲げた添設片２４ｂと、この添設片２４ｂの端辺と一体にかつ折り返し形状に設けられ、図２において奥側の辺側において前記嵌め込み片２５ａと対称配置に前記上片１１ａ、下片１１ｂの間に嵌め込まれる嵌め込み片２５ｂとを具備し、これらにより、前記上片１１ａの上面との間で側方から見て長方形状の肩掛けベルト挿通領域１８を形成するように構成している。
【００２７】
更に、図８、図９にも示すように、前記重合下片２２ａには一対のホック凹部２６を設け、前記重合上片２２ｂには一対のホック凸部２７を上下対応配置に設け、一対のホック凹部２６と一対のホック凸部２７とを係止することで前記重合下片２２ａ上に前記重合上片２２ｂを（例えば面ファスナー等を用いて）ぴったり重合密着させるように構成している。
【００２８】
このような肩掛けベルト挿通部２０の構成により、前記ホック凸部２７をホック凹部２６から離脱させ、前記重合上片２２ｂ、重合下片２２ａを前記垂直片２３ａ、垂直片２３ｂの基部（添設片２４ａ、２４ｂとの境界部）に沿って外側に折り曲げることで、図９に示すように、前記上片１１ａの上方領域を開放し、肩掛けベルト３を上片１１ａ上に容易に配置し得るように構成している。
【００２９】
他方の肩掛けベルト挿通部２１も、前記上片１１ａ、下片１１ｂの長さ方向に沿った寸法が前記肩掛けベルト挿通部２０の場合よりも小寸法とした点を除き、上述した肩掛けベルト挿通部２０の場合と略同様な構造で、かつ、前記上片１１ａの上面との間で側方から見て長方形状の肩掛けベルト挿通領域１９を形成するとともに、前記肩掛けベルト挿通部２０と一定の間隔を隔て、かつ、対向配置で前記上片１１ａ、下片１１ｂと縫製により一体化している。
【００３０】
次に、本実施例に係る滑り止め具１の作用、効果について説明する。
【００３１】
本実施例に係る滑り止め具１によれば、バッグ類２に取り付けられた肩掛けベルト３を肩掛けベルト挿通領域１９、２０に挿通した状態で、前記肩掛けベルト３とともに使用者の肩上に前記弧状凹部１２が首側となる状態で配置することによって、使用者が歩行するような場合においても前記肩掛けベルト３が使用者の肩から滑り落ちたりずれたりすることを効果的に防止することができる。そして、使用に際して、使用者の肩上に前記弧状凹部１２が首側となる状態で配置構成されているので、この滑り止め具１自体が外側に滑り落ちない作用を発揮することができる。滑り止め具１自体が外側に滑り落ちない作用は、前記弧状凹部１２が首側となる状態で配置構成されていることに加えて、前記各突起１４１ａ、１４ｂ、１４ｃにより一層発揮できる。
【００３２】
すなわち、本実施例に係る滑り止め具１は、既述したように、前記滑り止め具本体１１に使用者の首側に位置させる弧状凹部１２を設けるとともに、滑り止め具本体１１を使用者の首側から肩側に向かって湾曲させ、更に、滑り止めパッド部１３に首側から肩側に向かって大、中、小の寸法関係を有する突起１４ａ、１４ｂ、１４ｃを列設した構成としている。
【００３３】
従って、前記滑り止め具１が首の周りを囲むような良好なフィット感をもって首から肩に掛けて配置されるとともに、滑り止め具本体１１の湾曲形状と前記突起１４、１４ｂ、１４ｃとによって、前記肩掛けベルト３を介して使用者の肩、首の部分に作用するバッグ類２の重量による重量負荷の均等化を図ることができ、この結果、肩掛けベルト３の滑り落ち、位置ずれを的確に防止できる。
【００３４】
また、同時に従来例で述べたような滑り止め具１の一辺が使用者の首側に食い込み、他辺側が肩から浮き上がったような不体裁状態の発生を回避できる。更に、前記突起１４ａ、１４ｂ、１４ｃによって、使用者の肩に対する肩揉み効果も期待できる。
【００３５】
また、本実施例に係る滑り止め具１によれば、前記肩掛けベルト挿通部２０、２１にホック凹部２６、ホック凸部２７の嵌め込み、離脱を利用した（例えば面ファスナー等を用いて）重合密着、開放機構を採用しているので、肩掛けベルト３の滑り止め具１に対する挿通及び取り外しも極めて簡略化する。
【００３６】
また、前記滑り止め具本体１１、肩掛けベルト挿通部２０、２１の寸法を、バッグ類２、肩掛けベルト３の寸法に適合させた寸法（例えばショルダーバッグの肩掛けベルト用には広幅、ハンドバッグの肩掛けベルト用には狭幅とする等）とすることで、外観体裁も良好なものとなる。
【００３７】
更に、前記滑り止め具１の作成時においては、前記位置合わせ機構部１７の突起１５、受穴１１ｃの嵌合による滑り止めパッド部１３と滑り止め具本体１１との位置合わせを行い、この後全体を縫製するようにしているので、滑り止めパッド部１３と滑り止め具本体１１との位置決めが正確かつ簡略化し、これにより、接着時、縫製時の作業容易化及び無駄となる不良品発生を回避することができ、省資源化に寄与することができる。
【００３８】
本実施例に係る滑り止め具１の具体的使用態様としては、例えば、火災や地震等の発生に伴う緊急避難時等において、既述したように、滑り止め具１にバッグ類２に取り付けられている肩掛けベルト３を挿通した状態で前記肩掛けベルト３とともに使用者の肩上に配置し、更に、両手に他の荷物を持ち又は子供の手を引いて避難するような例を挙げることができる。
【００３９】
このような場合においても、本実施例に係る滑り止め具１によれば、使用者の肩にこの滑り止め具１がぴったりとフィットした状態となり、滑り落ちや位置ずれが無く、バッグ類２を確実に運搬することができる。
【００４０】
図１０は、本実施例に係る滑り止め具１の変形例である滑り止め具１Ａを示すものであり、この滑り止め具１Ａは、前記滑り止め具本体１１、及び、一対の肩掛けベルト挿通部２０、２１の外面に色彩、模様等を付し装飾してファッション性を持たせたことが特徴である。
【００４１】
前記滑り止め具１Ａに関する装飾は、例えば、滑り止め具本体１１の上片１１ａの外面を茶色に、肩掛けベルト挿通部２０の外面を赤色に、肩掛けベルト挿通部２１の外面を青色に色分けして着色したり、これらの外面を１色で着色したり、更にはこれらの外面に花柄等を付したり、これらの外面に色分け模様を付したり等、種々の装飾形態を選定することができる
【００４２】
このような構成によれば、外観体裁が良好であり、かつ、ファッション性に富んだ滑り止め具１Ａとすることができる。
【産業上の利用可能性】
【００４３】
本考案の滑り止め具は、ショルダーバッグやハンドバッグ等の肩掛けベルト用とする他、旅行バッグ、スポーツバッグ、ショッピングバッグ、肩掛け鞄等用として広範に応用可能である。
【図面の簡単な説明】
【００４４】
【図１】本考案の実施例に係るバッグ類肩掛けベルト用滑り止め具の使用形態を示す概略図である。
【図２】本実施例に係るバッグ類肩掛けベルト用滑り止め具の斜視図である。
【図３】本実施例に係るバッグ類肩掛けベルト用滑り止め具の平面図である。
【図４】本実施例に係るバッグ類肩掛けベルト用滑り止め具の正面図である。
【図５】本実施例に係るバッグ類肩掛けベルト用滑り止め具の底面図である。
【図６】本実施例に係るバッグ類肩掛けベルト用滑り止め具の側面図である。
【図７】本実施例に係るバッグ類肩掛けベルト用滑り止め具の部分断面図である。
【図８】本実施例に係るバッグ類肩掛けベルト用滑り止め具の部分切欠斜視図である。
【図９】本実施例に係るバッグ類肩掛けベルト用滑り止め具の重合上片を開いた状態の側面図である。
【図１０】本実施例に係るバッグ類肩掛けベルト用滑り止め具の変形例の斜視図である。
【符号の説明】
【００４５】
１    滑り止め具
１Ａ  滑り止め具
２    バッグ類
３    肩掛けベルト
４    縫製縫い目
１１    滑り止め具本体
１１ａ  重合上片
１１ｂ  重合下片
１１ｃ  受穴
１２    弧状凹部
１３    滑り止めパッド部
１４    突起部
１４ａ  突起
１４ｂ  突起
１４ｃ  突起
１５    突起
１６    弧状凹部
１７    位置合わせ機構部機構部
１８    肩掛けベルト挿通領域
１９    肩掛けベルト挿通領域
２０    肩掛けベルト挿通部
２１    肩掛けベルト挿通部
２２ａ  重合下片
２２ｂ  重合上片
２３ａ  垂直片
２３ｂ  垂直片
２４ａ  添設片
２４ｂ  添設片
２５ａ  嵌め込み片
２５ｂ  嵌め込み片
２６    ホック凹部
２７    ホック凸部
【図１】
0003139961.tif 000003
【図２】
0003139961.tif 000004
【図３】
0003139961.tif 000005
【図４】
0003139961.tif 000006
【図５】
0003139961.tif 000007
【図６】
0003139961.tif 000008
【図７】
0003139961.tif 000009
【図８】
0003139961.tif 000010
【図９】
0003139961.tif 000011
【図１０】
0003139961.tif 000012